(57)【特許請求の範囲】
【請求項１】
一の縁石架台の上面に嵌合される第１嵌合部材と、
他の縁石架台の上面に嵌合される第２嵌合部材と、
前記第１嵌合部材の上面に固定される支持部材と、
ソーラーパネルを固定するための複数の挟持部材とを含んで成り、
前記支持部材の上面に前記挟持部材によって前記ソーラーパネルの一端が挟持固定され、前記第２嵌合部材に前記挟持部材によって前記ソーラーパネルの他端が挟持固定されることを特徴とするソーラーパネル固定構造。
【請求項２】
前記第１嵌合部材及び前記第２嵌合部材が、帯状の載置部と、該載置部の長手方向両側端から各々下方へ延設された係合部とを含んで成ることを特徴とする請求項１に記載のソーラーパネル固定構造。
【請求項３】
前記第２嵌合部材に係る一方の前記係合部の下端部に、該下端部から外側へ延設された支持部を備え、該支持部に前記挟持部材によって前記ソーラーパネルの他端が挟持固定されることを特徴とする請求項２に記載のソーラーパネル固定構造。
【請求項４】
前記支持部材が箱形の長尺部材から成り、前記第１嵌合部材の上面に、前記第１嵌合部材の嵌合方向に対して直交方向に固定されることを特徴とする請求項１から請求項３の何れかに記載のソーラーパネル固定構造。
【請求項５】
前記長尺部材が金属製であることを特徴とする請求項４に記載のソーラーパネル固定構造。
【請求項６】
更に他の縁石架台の上面に嵌合される第３嵌合部材と、
前記第２嵌合部材の上面に固定される他の支持部材とを含んで成り、
前記他の支持部材の上面に前記挟持部材によって他のソーラーパネルの一端が挟持固定され、前記第３嵌合部材に前記挟持部材によって該他のソーラーパネルの他端が挟持固定されることを特徴とする請求項１から請求項５の何れかに記載のソーラーパネル固定構造。
【請求項７】
前記第２嵌合部材と前記第３嵌合部材とが同一形状をなし、前記支持部材と前記他の支持部材とが同一形状をなすことを特徴とする請求項６に記載のソーラーパネル固定構造。
【発明の詳細な説明】
【技術分野】
【０００１】
本発明は、ソーラーパネルを固定するためのソーラーパネル固定構造に関する。
【背景技術】
【０００２】
従来、ソーラーパネルを建物の屋上や陸屋根等に設置する場合には、まずコンクリート製の基礎を構築し、この基礎にステンレスやアルミニウム等の金属から成る専用架台を取り付けた上で、この専用架台にソーラーパネルが固定されている。また、遊休地の有効活用として、近年、平地にソーラーパネルを設置することが行われているが、この場合も、まず平地にコンクリート基礎を構築し、この基礎に金属製専用架台を介してソーラーパネルが固定されている。
【０００３】
このように、従来は専用架台を取り付けるためのコンクリート基礎の構築作業が必要であったため、工期の長期化、高コスト化を招く要因となっていた。そこで、汎用のコンクリートブロックと簡単な設置金具のみでソーラーパネルを設置できる構造が種々開示されている（例えば、特許文献１又は特許文献２参照。）。
【０００４】
特許文献１に開示された太陽電池パネル支持構造体は、１又は複数の第１のコンクリートブロックの外周に嵌合することにより荷重を得る第１の保持部材と、１又は複数の第２のコンクリートブロックの下に固定することにより荷重を得る第２の保持部材を備えた保持部と、前記第１の保持部材に前記太陽電池パネルの一端の外枠を取り付ける第１の取付部材と、前記第２の保持部材に前記太陽電池パネルの他端の外枠を取り付ける第２の取付部材を備えた取付部とを備えており、当該構成によって材料費用及び設置費用の低コスト化を図っている。
【０００５】
また、特許文献２に開示された太陽電池パネル支持構造体の支持金具は、太陽電池パネルを所定の傾斜角で支持する太陽電池パネル支持構造体において、太陽電池パネルを支持するとともにコンクリートブロックを嵌合しかつ挟持する支持金具であって、前記太陽電池パネルの一端の外枠を支持するために、前記所定の傾斜角で傾斜する支持板と、前記支持板の低端部から下方に延出し、延出した側部において前記コンクリートブロックに対向して延伸させた突出部で前記コンクリートブロックを挟持する第１の挟持板と、前記支持板の高端部から下方に延出し、延出した側部において前記コンクリートブロックに対向して延伸させた突出部で前記コンクリートブロックを挟持する第２の挟持板とを備え、前記第１の挟持板の突出部と前記第２の挟持板の突出部とが前記コンクリートブロックを挟持することを特徴とする。当該構成から成る支持金具を使用して太陽電池パネル支持構造体を構成することによって、取付施行の容易化を図ると共に、材料費用及び設置費用の低コスト化も図っている。
【先行技術文献】
【特許文献】
【０００６】
【特許文献１】実用新案登録第３１６４１４２号公報（図２、図１２参照）
【特許文献２】実用新案登録第３１７３６０１号公報
【発明の概要】
【発明が解決しようとする課題】
【０００７】
特許文献１に開示された太陽電池パネル支持構造体によると、材料費用及び設置費用の低コスト化がある程度は期待できる。しかし、第１の保持部材が１又は複数の第１のコンクリートブロックの外周に嵌合することによって荷重を得る構成となっているため、第１の保持部材そのものは特殊な形状をなしており、十分な低コスト化を図ることが困難となるおそれがある。また、太陽電池パネルをその長手方向に連設する場合には、同文献の図１２に示すような更に特殊な形状の保持部材が必要となり、材料費用の高コスト化に繋がるおそれがある。
【０００８】
その点、特許文献２に開示された太陽電池パネル支持金具を用いた支持構造体によると、特許文献１に開示された太陽電池パネル支持構造体に比べて、材料費用及び設置費用の低コスト化が期待できると共に、取付施工の容易化も図られるものと思料する。しかし、太陽光発電システムの導入コストにおいて、太陽光パネルの設置費用が占める割合は以前として高いため、更なる材料費用、設置費用の低コスト化が求められている。
【０００９】
そこで本願発明者は、上記の問題点に鑑み、取付施工を容易にして工期短縮を実現すると共に、部品形状の単純化・共通化を図ることによって、設置費用及び材料費用の更なる低コスト化を可能としたソーラーパネル固定構造を提供するべく鋭意検討を重ねた結果、本発明に至ったのである。
【課題を解決するための手段】
【００１０】
即ち、本発明のソーラーパネル固定構造は、一の縁石架台の上面に嵌合される第１嵌合部材と、他の縁石架台の上面に嵌合される第２嵌合部材と、前記第１嵌合部材の上面に固定される支持部材と、ソーラーパネルを固定するための複数の挟持部材とを含んで成り、前記支持部材の上面に前記挟持部材によって前記ソーラーパネルの一端が挟持固定され、前記第２嵌合部材に前記挟持部材によって前記ソーラーパネルの他端が挟持固定されることを特徴とする。
【００１１】
また、本発明のソーラーパネル固定構造において、前記第１嵌合部材及び前記第２嵌合部材が、帯状の載置部と、該載置部の長手方向両側端から各々下方へ延設された係合部とを含んで成ることを特徴とする。
【００１２】
更に、本発明のソーラーパネル固定構造において、前記第２嵌合部材に係る一方の前記係合部の下端部に、該下端部から外側へ延設された支持部を備え、該支持部に前記挟持部材によって前記ソーラーパネルの他端が挟持固定されることを特徴とする。
【００１３】
また、本発明のソーラーパネル固定構造において、前記支持部材が箱形の長尺部材から成り、前記第１嵌合部材の上面に、前記第１嵌合部材の嵌合方向に対して直交方向に固定されることを特徴とする。
【００１４】
また、本発明のソーラーパネル固定構造において、前記長尺部材が金属製であることを特徴とする。
【００１５】
更にまた、本発明のソーラーパネル固定構造において、更に他の縁石架台の上面に嵌合される第３嵌合部材と、前記第２嵌合部材の上面に固定される他の支持部材とを含んで成り、前記他の支持部材の上面に前記挟持部材によって他のソーラーパネルの一端が挟持固定され、前記第３嵌合部材に前記挟持部材によって該他のソーラーパネルの他端が挟持固定されることを特徴とする。
【００１６】
また、本発明のソーラーパネル固定構造において、前記第２嵌合部材と前記第３嵌合部材とが同一形状をなし、前記支持部材と前記他の支持部材とが同一形状をなすことを特徴とする。
【発明の効果】
【００１７】
本発明のソーラーパネル固定構造によると、取付施工を容易にして工期短縮を実現すると共に、部品形状の単純化・共通化を図ることによって、設置費用及び材料費用の更なる低コスト化が可能となる。
【００１８】
特に、本発明のソーラーパネル固定構造において、第１嵌合部材及び第２嵌合部材を、帯状の載置部と、当該載置部の長手方向両側端から各々下方へ延設された係合部とを含んで成る構成とすることによって部品形状が単純化され、材料費用の低コスト化が図られる。
【００１９】
また、本発明のソーラーパネル固定構造において、第２嵌合部材に係る一方の係合部の下端部に、当該下端部から外側へ延設された支持部を備え、当該支持部に挟持部材によってソーラーパネルの他端を挟持固定することによって、取付施工が容易となり工期短縮が図られると共に設置費用の低コスト化にも繋がる。
【００２０】
更に、本発明のソーラーパネル固定構造において、支持部材が箱形の長尺部材から成り、第１嵌合部材の上面に、第１嵌合部材の嵌合方向に対して直交方向に固定されることによって取付施工が容易になると共に、この長尺部材が金属製であることによって、ソーラーパネルのアースとしても利用することができる。
【００２１】
更にまた、本発明のソーラーパネル固定構造において、更に他の縁石架台の上面に嵌合される第３嵌合部材と、第２嵌合部材の上面に固定される他の支持部材とを含んで成り、他の支持部材の上面に挟持部材によって他のソーラーパネルの一端が挟持固定され、第３嵌合部材に挟持部材によって他のソーラーパネルの他端が挟持固定されることによって、ソーラーパネルをその長手方向に連設する場合であっても、材料費用の高コスト化を招くことなく容易に取付施工が可能となる。また、当該ソーラーパネル固定構造によると、全てのソーラーパネルが一体に連結されることとなるため、ソーラーパネル総重量によって負圧にも十分に対応することが可能であると共に、不陸の調整も殆ど必要ないため、更なる工期短縮、設置費用の低コスト化が図られる。
【００２２】
更に、本発明のソーラーパネル固定構造において、第２嵌合部材と第３嵌合部材とが同一形状をなし、支持部材と他の支持部材とが同一形状をなすことによって、部品形状の共通化が図られ、材料費用の更なる低コスト化が可能となる。
【図面の簡単な説明】
【００２３】
【図１】本発明のソーラーパネル固定構造の一実施形態を示した斜視図である。
【図２】図１に示したソーラーパネル固定構造のＡ−Ａ線断面図である。
【図３】（ａ）は図２に示したソーラーパネル固定構造におけるＸ部拡大断面図、（ｂ）はＹ部拡大断面図である。
【図４】（ａ）は本発明に係る第１嵌合部材を示す斜視図、（ｂ）は本発明に係る第２嵌合部材を示す斜視図、（ｃ）は本発明に係る挟持部材を示す斜視図である。
【図５】本発明のソーラーパネル固定構造の他の実施形態を示した斜視図である。
【図６】図５に示したソーラーパネル固定構造のＢ−Ｂ線断面図である。
【図７】図６に示したソーラーパネル固定構造におけるＺ部拡大断面図である。
【発明を実施するための形態】
【００２４】
以下、本発明のソーラーパネル固定構造の実施形態を、図面に基づいて説明する。
【００２５】
図１は本発明の一実施形態に係るソーラーパネル固定構造１０を示す斜視図、図２はソーラーパネル固定構造１０の側面視断面図、図３（ａ）は図２におけるＸ部拡大断面図、図３（ｂ）は図２におけるＹ部拡大断面図である。まず図１及び図２に示すように、本実施形態のソーラーパネル固定構造１０は、一の縁石架台１２，１２の上面に嵌合される第１嵌合部材１４と、他の縁石架台１６，１６の上面に嵌合される第２嵌合部材１８と、第１嵌合部材１４の上面に固定される支持部材２０と、ソーラーパネルＳ１を固定するための複数の挟持部材２２とを含んで構成されている。そして、支持部材２０の上面に挟持部材２２によってソーラーパネルＳ１の一端Ｓ１ａが挟持固定され、第２嵌合部材１８に挟持部材２２によってソーラーパネルＳ１の他端Ｓ１ｂが挟持固定されている。
【００２６】
より具体的には、図１、図３（ａ）及び図４（ａ）に示すように、第１嵌合部材１４は、帯状の載置部１４ａと、載置部１４ａの長手方向両側端から各々下方へ延設された係合部１４ｂ，１４ｃとを含んで成り、縁石架台１２，１２の前面及び後面に各係合部１４ｂ，１４ｃを各々係合させることによって縁石架台１２，１２の上面に嵌合され、アンカー２６で固定されている。
【００２７】
また、本実施形態に係る支持部材２０は箱形の長尺部材から成り、第１嵌合部材１４の上面において、第１嵌合部材１４の嵌合方向に対して直交方向、換言すれば第１嵌合部材１４の長手方向に対して直交方向に配設され、縁石架台１２にアンカー２６で固定しつつ第１嵌合部材１４を押さえ込む。
【００２８】
そして、この箱形の長尺部材から成る支持部材２０の上面に、図４（ｃ）に示す側面視略Ｚ字形状の挟持部材２２によってソーラーパネルＳ１の一端Ｓ１ａが挟持され、挟持部材２２が支持部材２０にドリルビス２４によって固定される。
【００２９】
一方の第２嵌合部材１８は、図１及び図３（ｂ）に示すように、基本的には第１嵌合部材と同様に帯状の載置部１８ａと、載置部１８ａの長手方向両側端から各々下方へ延設された係合部１８ｂ，１８ｃとを含んで成り、縁石架台１６，１６の前面及び後面に各係合部１８ｂ，１８ｃを各々係合させることによって縁石架台１６，１６の上面に嵌合されている。更に、第２嵌合部材１８に係る一方の係合部１８ｂの下端部には、この下端部から外側へ延設された支持部１８ｄを備えている。
【００３０】
そして、第２挟持部材１８が２本のアンカー２６によって縁石架台１６，１６に一体固定されると共に、第２挟持部材１８が備える支持部１８ｄに挟持部材２２によってソーラーパネルＳ１の他端Ｓ１ｂが挟持され、ドリルビス２４によって固定されている。
【００３１】
以上のように、本実施形態のソーラーパネル固定構造１０によると、第１嵌合部材１４及び第２嵌合部材１８の形状が非常に単純であるため、材料費用の低コスト化が図られる。
【００３２】
また、本実施形態に係る支持部材２０が箱形の長尺部材から成り、第１嵌合部材１４の上面に、第１嵌合部材１４の嵌合方向に対して直交方向に固定されることによって、ソーラーパネルＳ１を支持部材２０に挟持部材２２のみで挟持固定することができ、取付施工が容易になる。
【００３３】
更に、この支持部材２０を金属製の長尺部材とすることによって、支持部材２０をソーラーパネルＳ１のアースとしても利用することができ、隣接するソーラーパネルＳ１１のアース線とソーラーパネルＳ１のアース線を接続せずとも、支持部材２０をこれらのアースとして利用することができ、設置作業の更なる容易化が図られる。
【００３４】
そして、本実施形態のソーラーパネル固定構造１０によると、第１嵌合部材１４、第２嵌合部材１８、支持部材２０及び挟持部材２２を使用して縁石架台１２及び縁石架台１６にソーラーパネルＳ１をドリルビス２４やアンカー２６により容易に一体固定できるため、取付施工を容易にして工期短縮が実現でき、設置費用の低コスト化を図ることができる。
【００３５】
次に本発明の他の実施形態について図面に基づいて説明する。なお、先に説明したソーラーパネル固定構造１０と共通する部分については説明を省略する。
【００３６】
図５は本発明の他の実施形態に係るソーラーパネル固定構造１０ａを示す斜視図、図６はソーラーパネル固定構造１０ａの側面視断面図、図７は図６におけるＺ部拡大断面図である。これらの図に示すように、本実施形態のソーラーパネル固定構造１０ａは、更に他の縁石架台３０，３０の上面に嵌合される第３嵌合部材３２と、第２嵌合部材１８の上面に固定される他の支持部材３４とを含んで構成されている。そして、他の支持部材３４の上面に挟持部材２２によって他のソーラーパネルＳ２の一端Ｓ２ａが挟持固定され、第３嵌合部材３２に挟持部材２２によって他のソーラーパネルＳ２の他端Ｓ２ｂが挟持固定されている。
【００３７】
より具体的には、図５及び図６に示すように、まず第３嵌合部材３２は、第２嵌合部材１８と同一形状をなし、帯状の載置部３２ａと、載置部３２ａの長手方向両側端から各々下方へ延設された係合部３２ｂ，３２ｃとを含んで成り、縁石架台３０，３０の前面及び後面に各係合部３２ｂ，３２ｃを各々係合させることによって縁石架台３０，３０の上面に嵌合されている。更に、第３嵌合部材３２に係る一方の係合部３２ｂの下端部には、この下端部から外側へ延設された支持部３２ｄを備えている。
【００３８】
そして、第３挟持部材３２が２本のアンカー２６，２６によって縁石架台３０，３０に一体固定されると共に、第３挟持部材３２が備える支持部３２ｄに挟持部材２２によってソーラーパネルＳ２の他端Ｓ２ｂが挟持され、ドリルビス２４によって固定されている。
【００３９】
一方、図６及び図７に示すように、第２挟持部材１８の上面には、支持部材２０と同一形状の箱形の長尺部材から成る他の支持部材３４が、第２嵌合部材１８の嵌合方向に対して直交方向、換言すれば第２嵌合部材１８の長手方向に対して直交方向に配設され、縁石架台１６にアンカー２６で固定しつつ第２嵌合部材１８を押さえ込む。
【００４０】
そして、この支持部材３４の上面に、挟持部材２２によってソーラーパネルＳ２の一端Ｓ２ａが挟持され、挟持部材２２が支持部材３４にドリルビス２４によって固定される。なお、縁石架台１６に第２嵌合部材１８をより強固に固定するため、アンカー２６によっても第２嵌合部材１８と縁石架台１６とが一体固定されている。
【００４１】
以上、本発明の他の実施形態に係るソーラーパネル固定構造１０ａについて詳述したが、本実施形態のソーラーパネル固定構造１０ａによると、ソーラーパネルＳ１，Ｓ２をその長手方向に連設する場合であっても、第１嵌合部材１４や第２嵌合部材１８の他、第３嵌合部材３２、支持部材３４等も単純な形状をなすため、材料費用の高コスト化を招くことなく容易に取付施工が可能となる。
【００４２】
特に、第２嵌合部材１８と第３嵌合部材３２とを同一形状とし、支持部材２０と他の支持部材３４とを同一形状とすることによって、ソーラーパネルＳ１，Ｓ２を連設する場合であっても、使用する部品形状の共通化が図られ、材料費用の更なる低コスト化が可能となる。
【００４３】
以上に例示した本発明の実施形態に係るソーラーパネル固定構造１０，１０ａは、本発明の技術的思想を実質的に限定するものと解してはならない。例えば、各実施形態に係る縁石架台１２，１６，３０には、材料費用の低コスト化を図るために地先縁石ブロックを使用しているが、他のコンクリートブロック等も使用可能である。
【００４４】
また、図５に示すように、本発明の実施形態に係るソーラーパネル固定構造１０ａでは２枚のソーラーパネルＳ１，Ｓ２をその長手方向に連設しているが、第２挟持部材１８（＝第３挟持部材３２）及び支持部材２０（＝他の支持部材３４）を使用することによって、更にその長手方向にソーラーパネルを連設することも可能である。
【００４５】
更に、より長尺の支持部材２０（＝他の支持部材３４）を使用することによって、ソーラーパネルＳ１，Ｓ２の短手方向にもソーラーパネルＳ１，Ｓ２を容易に連設することが可能であり、本発明は、その要旨を逸脱しない範囲で、当業者の創意と工夫により、適宜に改良、変更又は追加をしながら実施できる。
【符号の説明】
【００４６】
１０，１０ａ：ソーラーパネル固定構造
１２：一の縁石架台
１４：第１嵌合部材
１４ａ，１８ａ，３２ａ：帯状の載置部
１４ｂ，１４ｃ，１８ｂ，１８ｃ，３２ｂ，３２ｃ：係合部
１６，３０：他の縁石架台
１８：第２嵌合部材
１８ｄ，３２ｄ：支持部
２０：支持部材
２２：挟持部材
２４：ドリルビス
２６：アンカー
３２：第３嵌合部材
３４：他の支持部材
Ｓ１，Ｓ２：ソーラーパネル
Ｓ１ａ：ソーラーパネルＳ１の一端
Ｓ１ｂ：ソーラーパネルＳ１の他端
Ｓ２ａ：ソーラーパネルＳ２の一端
Ｓ２ｂ：ソーラーパネルＳ２の他端
【図１】
0005898143.tif 000002
【図２】
0005898143.tif 000003
【図３】
0005898143.tif 000004
【図４】
0005898143.tif 000005
【図５】
0005898143.tif 000006
【図６】
0005898143.tif 000007
【図７】
0005898143.tif 000008